(57)【要約】      （修正有）【課題】絞り部によって指挿入部の指からの不用意な離脱を防止しうるという従来の絞り部付き手袋の利点を維持しつつ、手袋を着用する際に、指挿入部に指を挿入する作業を従来に比べて好適且つスムーズに行うことができ、指挿入部の指先部分にかなりの空間部が残ったまま着用せざるを得ないという事態を緩和できる手袋を提供する。【解決手段】手袋本体１の指挿入部２、３、４、５、６に、該指挿入部の周縁部から内側に窪んだ窪み部９ａ、９ｂ、９ｃ、９ｄによって指挿入部の内径が絞られた絞り部２８ａ、２８ｂ、２８ｃが、指挿入部の基端部側から先端部側にかけて設けられた手袋において、該複数箇所の絞り部のうち、指挿入部における縦方向軸中心部を中心として左右対称な位置に窪み部を有する絞り部２８ａは、１箇所以下とされ、他の絞り部２８ｂ、２８ｃは、前記縦方向軸中心部を中心として左右対称な位置に窪み部を有しない非対称な絞り部とされている。【選択図】図１
2013076195.tif 000002
【特許請求の範囲】
【請求項１】
指が挿入される手袋本体（１）の指挿入部に、該指挿入部の周縁部から内側に窪んだ窪み部が複数箇所に形成され、該窪み部によって指挿入部の内径が絞られた絞り部が、指挿入部の基端部側から先端部側にかけて複数箇所に設けられた手袋において、該複数箇所の絞り部のうち、指挿入部における縦方向軸中心部を中心として左右対称な位置に窪み部を有する絞り部は、１箇所以下とされ、他の絞り部は、前記縦方向軸中心部を中心として左右対称な位置に窪み部を有しない非対称な絞り部として構成されていることを特徴とする手袋。
【発明の詳細な説明】
【技術分野】
【０００１】
本発明は、手袋本体の指挿入部に、該指挿入部の周縁部から内側に窪んだ窪み部が複数箇所に形成され、該窪み部によって指挿入部の内径が絞られた絞り部が、指挿入部の基端部側から先端部側にかけて複数箇所に設けられ、その絞り部によって指挿入部の指からの離脱を防止するように構成された手袋に関する。
【背景技術】
【０００２】
一般に、手に付着すると除去しにくいインクや毛染め液、或いは手に付着することで皮膚に影響を与えるような化学薬品を取り扱う際には、そのインク、毛染め液、化学薬品等が手に付着するのを防止するために使い捨て用の手袋が着用される。また食品工場等において，握飯やサンドイッチ等の加工食品を製造する際には、米飯やパンに具材を装入する等が手作業で行われる場合があり、そのような場合にも衛生上の観点から食材が直接手に触れるのを防止するために、使い捨て用の手袋を着用することが作業者に義務付けられている。
【０００３】
このような従来の手袋は、たとえば薄手の合成樹脂フィルム等で構成されて使い捨てを目的として使用されるものであり、必ずしも手にフィットするように製作されているものではない。このため、使用中に手袋が手から不用意に離脱するおそれがある。
【０００４】
このような手袋の手からの不用意な離脱を防止するため、指が挿入される手袋本体の指挿入部に、該指挿入部の周縁部から内側に窪んだ窪み部が複数箇所に形成され、該窪み部によって指挿入部の内径が絞られた絞り部が、指挿入部の基端部側から先端部側にかけて複数箇所に設けられ、その絞り部によって指挿入部の指からの離脱を防止するように構成された手袋が開発されており、そのような絞り部が形成された手袋に関する特許出願として、従来では下記特許文献１〜４のような特許出願がなされている。そして、このような特許文献１〜４の特許出願に記載された絞り部付き手袋は、いずれも絞り部を構成する窪み部が指挿入部の周縁部の左右に複数対形成されている。
【０００５】
しかし、これら従来の絞り部付きの手袋は、複数の絞り部を構成する複数の窪み部が、いずれも指の縦方向軸中心部を中心として、左右対称な位置に設けられているので、手袋の着用時において指挿入部に指を挿入する際に、左右対称な位置に設けられた窪み部によって指に引っ掛かりが生じ易く、指挿入部に指を挿入する作業を必ずしも容易に行うことができないという問題点が生じていた。この結果、指挿入部の指先部分まで指が挿入されず、指先部分にかなりの空間部が残ったままの状態で着用して作業をせざるを得ないという問題点が生じていた。
【先行技術文献】
【特許文献】
【０００６】
【特許文献１】特開２００７−１６９８２２号公報
【特許文献２】実用新案登録第３０４３３８７号公報
【特許文献３】特開２００５−９０３５号公報
【特許文献４】実開平４−７６１６号公報
【発明の概要】
【発明が解決しようとする課題】
【０００７】
本発明は、このような問題点を解決するためになされたもので、絞り部によって指挿入部の指からの不用意な離脱を防止しうるという従来の絞り部付き手袋の利点を維持しつつ、さらに手袋を着用する際に、指挿入部に指を挿入する作業を従来に比べて好適且つスムーズに行うことができ、指挿入部の指先部分にかなりの空間部が残ったまま着用せざるを得ないという事態を緩和することができる手袋を提供することを課題とする。
【課題を解決するための手段】
【０００８】
本発明は、このような課題を解決するためになされたもので、指が挿入される手袋本体の指挿入部に、該指挿入部の周縁部から内側に窪んだ窪み部が複数箇所に形成され、該窪み部によって指挿入部の内径が絞られた絞り部が、指挿入部の基端部側から先端部側にかけて複数箇所に設けられた手袋において、該複数箇所の絞り部のうち、指挿入部における縦方向軸中心部を中心として左右対称な位置に窪み部を有する絞り部は、１箇所以下とされ、他の絞り部は、前記縦方向軸中心部を中心として左右対称な位置に窪み部を有しない非対称な絞り部として構成されていることを特徴とする手袋を提供するものである。
【０００９】
指挿入部からの指の抜け出しを防止するためには、窪み部と指との間の距離を一定以下に狭め、手袋を手に装着して作業を行う際に前記窪み部を指に接触させる機会を増やすことが重要になるが、指との距離が近い窪み部を、指挿入部における縦方向軸中心部を中心として左右対称な位置に設けると、指の通路が狭くなり、指挿入部に指を挿入しにくい状態となる。特に、このような窪み部が左右対称な位置に設けられた絞り部が、指挿入部の基端部側から先端部側にかけて２箇所以上に設けられていると、手袋本体を手に装着しづらいものとなる。その一方で、左右いずれか一方側にしか窪み部を設けていない等、縦方向軸中心部を中心として左右対称な位置に窪み部を有しない非対称な絞り部であれば、窪み部と指との距離を狭めながらも、指の通路をある程度広く確保することができる。
【００１０】
本発明においては、上記のように、複数箇所の絞り部のうち、指挿入部における縦方向軸中心部を中心として左右対称な位置に窪み部を有する絞り部は、１箇所以下とされ、他の絞り部は、前記縦方向軸中心部を中心として左右対称な位置に窪み部を有しない非対称な絞り部として構成されているので、指の通路が狭くなって手袋本体を手に装着しづらいという事態を最小限にとどめることができ、指の通路がある程度の広さに確保された上記非対称な絞り部を通過させて指挿入部内に指を好適且つスムーズに挿入することができる。その一方で、左右いずれか一方側にしか窪み部が設けられていない非対称な絞り部であっても、窪み部と指との距離がある程度狭められた状態とされているので、指挿入部からの指の抜け出しは防止されることとなる。
【発明の効果】
【００１１】
以上のように、本発明によれば、複数の絞り部がすべて縦方向軸中心部を中心として左右対称な位置に窪み部を有して形成されていた従来の手袋に比べると、指挿入部へ指を入れる作業を好適且つスムーズに行うことができ、この結果、指挿入部の指先部分に空間部が残ったまま着用せざるを得ないという事態を緩和することができるという効果がある。
【図面の簡単な説明】
【００１２】
【図１】一実施形態としての手袋の正面図。
【図２】図１のＡ−Ａ線断面図。
【図３】手袋を手に装着した状態の正面図。
【図４】指挿入部に指を挿入した状態の正面図。
【図５】一実施形態としての指挿入具の製造方法におけるチューブの移送工程を示す概略平面図。
【図６】図５のＢ−Ｂ線断面図。
【図７】指挿入具の輪郭部分を熱シールする工程を示す概略平面図。
【図８】チューブの両側部を切断する工程を示す概略平面図。
【図９】熱シールした部分を切り取る工程を示す概略平面図。
【図１０】他実施形態の手袋の正面図。
【図１１】他実施形態の手袋の正面図。
【図１２】他実施形態の手袋の正面図。
【図１３】他実施形態の手袋の正面図。
【図１４】他実施形態の手袋の正面図。
【図１５】他実施形態の手袋の正面図。
【図１６】他実施形態の手袋の要部拡大断面図。
【発明を実施するための形態】
【００１３】
以下、本発明の実施形態について説明する。本発明の手袋は、上述のように、指が挿入される手袋本体の指挿入部に、該指挿入部の周縁部から内側に窪んだ窪み部が複数箇所に形成され、該窪み部によって指挿入部の内径が絞られた絞り部が、指挿入部の基端部側から先端部側にかけて複数箇所に設けられた手袋において、該複数箇所の絞り部のうち、指挿入部における縦方向軸中心部を中心として左右対称な位置に窪み部を有する絞り部は、１箇所以下とされ、他の絞り部は、前記縦方向軸中心部を中心として左右対称な位置に窪み部を有しない非対称な絞り部として構成されているものである。
【００１４】
手袋本体は、たとえば、親指を挿入する指挿入部、人指し指を挿入する指挿入部、中指を挿入する指挿入部、薬指を挿入する指挿入部、及び小指を挿入する指挿入部のそれぞれ５本の指挿入部を有して構成することができる。
【００１５】
手袋本体は、たとえば合成樹脂製シートで構成することができる。この合成樹脂製シートを構成する合成樹脂の種類は問うものではないが、本発明の指挿入具が主として使い捨てを目的とすることから、製造コストが安価なポリエチレン、ポリプロピレン等を用いることが望ましい。ただし、手袋本体の材質は合成樹脂に限定されるものではない。たとえばゴムや不織布で手袋本体を構成することも可能である。
【００１６】
手袋本体の構成は特に限定されないが、たとえば表片と裏片との２枚のシート片を指の形状とし、その周縁部を熱シール等によりシールすることによって形成することができる。この場合、指挿入部の指先部分とは反対側の基端部側はシールされず、指を挿入するための開口部として形成される。
【００１７】
さらに、手袋本体の各指の指挿入部には、該指挿入部の周縁部から内側に窪んだ窪み部が複数箇所に形成されている。この窪み部によって指挿入部の内径が絞られた絞り部が、指挿入部の基端部側から先端部側にかけて複数箇所に設けられることとなる。かかる窪み部を形成することで、その窪み部が指への引っ掛かり部分となって、各指の指挿入部から、各指が不用意に抜け出るのが好適に防止されることとなる。
【００１８】
本発明においては、上記のような複数箇所の絞り部のうち、指挿入部における縦方向軸中心部を中心として左右対称な位置に窪み部を有する絞り部は１箇所以下とされ、他の絞り部は、前記縦方向軸中心部を中心として左右対称な位置に窪み部を有しない非対称な絞り部として構成されている。ここで、「縦方向軸中心部」とは、周縁部の左右に形成されている窪み部が、対称な位置に形成されているか否かを判断する目安となる仮想の中心線である。「１箇所以下」であるので、たとえば絞り部が３箇所に設けられている場合、縦方向軸中心部を中心として左右対称に窪み部が形成された絞り部は存在しないか若しくは１箇所のみとされ、他の２箇所の絞り部、若しくは３箇所すべての絞り部は、縦方向軸中心部を中心として左右対称な位置に窪み部を有しない非対称な絞り部として構成されることとなる。
【００１９】
また、たとえば手袋本体が親指、人指し指、中指、薬指、小指の５本の指挿入部を有して構成されている場合、上記のような絞り部は、すべての指の指挿入部に形成されていることが望ましいが、すべての指の指挿入部に絞り部が形成されていることは本発明に必須の条件ではない。ただし、絞り部が形成されている指の指挿入部に関しては、上記のように、指挿入部における縦方向軸中心部を中心として左右対称な位置に窪み部を有する絞り部は、１箇所以下とされ、他の絞り部は、前記縦方向軸中心部を中心として左右対称な位置に窪み部を有しない非対称な絞り部として構成されている必要がある。
【００２０】
以下、本発明のより具体的な実施形態について図面に従って説明する。
【００２１】
（実施形態１）
本実施形態の手袋１４の手袋本体１は、図１に右手に装着する場合を例にして示すように、図１の正面視左側から順に右側に向けて親指を挿入する指挿入部２、人指し指を挿入する指挿入部３、中指を挿入する指挿入部４、薬指を挿入する指挿入部５、及び小指を挿入する指挿入部６を具備して構成されている。
【００２２】
手袋本体１は、全体が合成樹脂製シートからなり、図２に示すように、手袋本体１が、装着時には手の甲側にあてがわれることとなる一片１ａと、掌側にあてがわれることとなる他片１ｂからなり、各指挿入部の指先側とは反対側の手袋本体１の基端部側には、手を挿脱するための開口部７が形成されている。
【００２３】
該開口部７を除く手袋本体１の周縁部及び後述の窪み部となる部分には、熱シールによるシール部８が形成されている。すなわち、手首内側に相当する部位から、指先を開いた状態における手の輪郭に沿って各指先を通って手首外側に相当する位置にまで、連続したシール部８が形成されている。
【００２４】
さらに、手袋本体１の指挿入部には、該指挿入部の内径が絞られた絞り部が、該指挿入部の基端部側から先端部側にかけて３箇所に設けられている。このような３箇所の絞り部２８ａ、２８ｂ、２８ｃは、図１に示すように、親指の指挿入部２、人指し指の指挿入部３、中指の指挿入部４、薬指を挿入する指挿入部５、及び小指を挿入する指挿入部６のすべての指挿入部に設けられている。
【００２５】
絞り部２８ａ、２８ｂ、２８ｃは、指挿入部の周縁部から内側に窪んだ窪み部によって構成される。その構成についてより具体的に説明すると、指挿入部における先端部側に左右１対の窪み部９ａ、９ｂが形成され、さらに先端部側から基端部側にかけて２箇所に窪み部９ｃ、９ｄが形成されている。これらの窪み部は、手袋本体１の周縁部のシール部８において、該シール部８の他の部分よりも部分的に内側に窪むように熱シールされることによって形成されている。
【００２６】
先端部側の左右１対の窪み部９ａ、９ｂによって、先端部側の絞り部２８ａが構成され、該窪み部９ａ、９ｂよりも基端部側に位置する窪み部９ｃによって中央の絞り部２８ｂが構成され、さらに該窪み部９ｃよりも基端部側に位置する窪み部９ｄによって基端部側の絞り部２８ｃが構成されている。先端部側の絞り部２８ａは、各指挿入部２、３、４、５、６における縦方向軸中心部１０を中心として左右対称な位置に窪み部９ａ、９ｂが形成されて構成され、中央の絞り部２８ｂは、図１の正面視右側に窪み部９ｃが形成されて構成された非対称なものであり、基端部側の窪み部９ｄは、図１の正面視左側に窪み部９ｄが形成されて構成された非対称なものである。
【００２７】
また各窪み部９ａ、９ｂ、９ｃ、９ｄのうち、先端部側の絞り部２８ａを構成する１対の窪み部９ａ、９ｂは、図４に示すように指挿入部４内に指１１を挿入したときに、遠位指節間関節（いわゆる第一関節）１２の下側に位置するように形成され、中央の絞り部２８ｂを構成する窪み部９ｃは、近位指節間関節（いわゆる第二関節）１３の上側に位置するように形成され、基端部側の絞り部２８ｃを構成する窪み部９ｄは、近位指節間関節１３の下側に位置するように形成されている。図４では、一例として、中指の指挿入部４内に指１１を挿入した場合について図示している。
【００２８】
このように、本実施形態においては、４個の窪み部９ａ、９ｂ、９ｃ、９ｄによって、指挿入部の基端部側から先端部側にかけて３箇所に絞り部２８ａ、２８ｂ、２８ｃが設けられていることになる。上記手首内側に相当する部位から、指先を開いた状態における手の輪郭に沿って各指先を通って手首外側に相当する位置にまで連続して形成されたシール部８は、上記窪み部９ａ、９ｂ、９ｃ、９ｄが形成された部分を含んで形成されている。
【００２９】
このように計４個の窪み部９ａ、９ｂ、９ｃ、９ｄによって絞り部２８ａ、２８ｂ、２８ｃが構成されている態様は、親指の指挿入部２、人指し指の指挿入部３、中指の指挿入部４、薬指を挿入する指挿入部５、及び小指を挿入する指挿入部６のすべてにおいて同じである。
【００３０】
そして、このような構成からなる手袋１４を使用する場合には、図３に示すように、各指を挿入する指挿入部２、３、４、５、６内に、それぞれ親指１５、人指し指１６、及び中指１７、薬指１８、小指１９を挿入する。このように、指挿入部２、３、４、５、６内に、各指を挿入することで、手袋１４が手２０に着用されることとなる。
【００３１】
このように各指を挿入する指挿入部２、３、４、５、６内に指を挿入する場合には、上記３箇所の絞り部２８ａ、２８ｂ、２８ｃをそれぞれ構成する計４箇所の窪み部９ａ、９ｂ、９ｃ、９ｄが指挿入部２、３、４、５、６の左右に２箇所ずつ形成されていることで、指が窪み部９ａ、９ｂ、９ｃ、９ｄに引っかかるおそれがある。
【００３２】
しかしながら、本実施形態においては、３箇所の絞り部２８ａ、２８ｂ、２８ｃのうち、先端部側の絞り部２８ａには、縦方向軸中心部１０を中心として左右対称な位置に１対の窪み部９ａ、９ｂが形成されているが、中央の絞り部２８ｂ及び基端部側の絞り部２８ｃは、左右いずれか１箇所のみにしか窪み部９ｃ、９ｄが形成されていない非対称なものであるので、指を指挿入部２、３、４、５、６内に挿入する際に、先端部側及び基端部側のすべての絞り部が、縦方向軸中心部を中心として左右対称な位置に窪み部が形成された構成からなる従来の手袋に比べると、容易且つスムーズに指を挿入することができる。
【００３３】
一方、指が指挿入部２、３、４、５、６内に挿入された後は、図４に示すように、先端部側の絞り部２８ａを構成する１対の窪み部９ａ、９ｂは遠位指節間関節（いわゆる第一関節）１２の下側に位置し、中央の絞り部２８ｂを構成する窪み部９ｃは近位指節間関節（いわゆる第二関節）１３の上側に位置し、基端部側の窪み部９ｄは近位指節間関節１３の下側に位置しているので、挿入された指が指挿入部２、３、４、５、６から抜け出るのが好適に防止されることとなる。
【００３４】
このように、本実施形態においては、指を指挿入部２、３、４、５、６内に挿入する際には、従来の手袋に比べて容易且つスムーズに指を挿入することができ、また一旦、指が手袋本体の指挿入部内に挿入された後は、指が指挿入部から不用意に抜け出るのが好適に防止される手袋を提供することが可能となった。
【００３５】
次に、上記のような構成からなる手袋を製造するための製造方法について説明する。
【００３６】
先ず、図５及び図６に示すように、チューブ状に形成された合成樹脂製の長尺シート２１を移送し、平らに伸ばして合成樹脂シートが上下に２枚重なった状態にする。該長尺シート２１はチューブ状に形成されているので、その両側部２２、２２は、図６に示すように前記手袋本体１の一片１ａとなる上側シートと、前記手袋本体１の他片１ｂとなる下側シートとがつながった状態に形成されている。
【００３７】
本実施形態においては、この上側シートと下側シートとを手の輪郭形状に熱シールした後に上側シートと下側シートとをシール部分に沿ってもぎり取ることにより手袋１４を形成させる。以下に、長尺シート２１の幅方向に、手袋となる部分が２つ並ぶように、且つ両側部２２、２２間に前記開口部７を形成させ、長尺シート２１の幅方向中心部に指先位置が位置するように手袋１４を作製する場合を例にして手袋の製造方法を説明する。
【００３８】
先ず、図７に示すように、手袋の輪郭となる部分２３に熱シールを施し、当該部分２３に沿ってシール部（図７においては図示せず）を形成する。また、窪み部となる部分（図７においては図示せず）には、手袋の輪郭となる部分２３において窪み部以外の他の部分よりも内側に窪んだ位置まで熱シールを施して、窪み部となる部分を形成する。
【００３９】
次に、図８に示すように、長尺シート２１の両側部２２、２２よりも内側に位置する開口部形成予定部分２４を切断する。このように長尺シート２１の開口部形成予定部分２４を切断することによって、開口部７が形成されることとなる。
【００４０】
次に、熱シールによってシール部が形成された手袋の輪郭となる部分に沿って手袋本体１の部分をもぎり取りつつ、長尺シート２１を巻き取る。より具体的には、長尺シート２１をロール等に巻き取ることによって、上記のように形成されたいわゆるハーフカットによる切断線の部分に沿って手袋本体１の部分が自動的に切り取られることとなり、それによって図９に示すように、上記のような形状の手袋１４が、多数連続的に製造されることとなるのである。
【００４１】
（実施形態２）
本実施形態においても、図１０に示すように各指挿入部２、３、４、５、６の計３箇所に絞り部２８ａ、２８ｂ、２８ｃが設けられており、この点で実施形態１と共通する。中央の絞り部２８ｂ及び基端部側の絞り部２８ｃは、左右いずれか１箇所のみにしか窪み部９ｃ、９ｄが形成されていない非対称なものであり、この点においても実施形態１と共通する。
【００４２】
本実施形態では、先端部側の絞り部２８ａには、左右いずれか１箇所のみにしか窪み部９ｂが形成されておらず、この点で縦方向軸中心部１０を中心として左右対称な位置に１対の窪み部９ａ、９ｂが形成されていた上記実施形態１と相違している。すなわち、本実施形態においては、３箇所の絞り部２８ａ、２８ｂ、２８ｃのすべてが、左右いずれか１箇所のみにしか窪み部が形成されていない非対称なものである。
【００４３】
そして、先端部側の絞り部２８ａは、指挿入部内に指を挿入したときに、遠位指節間関節１２の下側に位置するように形成され、中央の絞り部２８ｂは近位指節間関節１３の上側に位置するように形成され、基端部側の絞り部２８ｃは近位指節間関節１３の下側に位置するように形成されている。
【００４４】
本実施形態においては、縦方向軸中心部１０を中心として窪み部９ｂと左右対称な位置に形成された上記実施形態１のような窪み部９ａは形成されていないが、指挿入部内に指を挿入したときの遠位指節間関節１２及び近位指節間関節１３と窪み部９ｂ、９ｃ、９ｄとの位置関係については、図４を用いて説明した上記実施形態１における窪み部９ｂ、９ｃ、９ｄと遠位指節間関節１２及び近位指節間関節１３との位置関係と同じである。
【００４５】
本実施形態では、上記実施形態１のように、先端部側の絞り部２８ａが、縦方向軸中心部１０を中心として左右対称な位置に１対の窪み部９ａ、９ｂが形成されて構成されたものではなく、左右いずれか一方のみに窪み部９ｂを有して先端部側の絞り部２８ａが構成されたものであるので、実施形態１に比べて手袋本体の指挿入部に指を挿入する作業を一層容易に行うことができる。この結果、指挿入部の指先の部分まで指を入れ易いという効果がある。
【００４６】
その一方で、一旦指挿入部内に指を挿入した後は、３個の窪み部９ｂ、９ｃ、９ｄが形成され、縦方向軸中心部１０を中心として窪み部が左右対称に形成された絞り部が存在していない本実施形態の場合には、４個の窪み部９ａ、９ｂ、９ｃ、９ｄが形成され、且つそのうちの１対の窪み部９ａ、９ｂが縦方向軸中心部１０を中心として左右対称に形成されていた実施形態１に比べてやや劣ることなる。
【００４７】
しかし、実施形態１に比べて、挿入された指が指挿入部から抜け出るのを防止する効果がやや劣るとはいえ、上記のように指挿入部の指先の部分まで指を入れ易いという効果を有するので、本実施形態においても、指を指挿入部内に挿入する作業を、従来の手袋に比べて容易且つスムーズに行うことができる手袋を提供することが可能となる。
【００４８】
手袋本体１が、親指、人指し指、中指、薬指、及び小指の５本の指挿入部２、３、４、５、６を具備して構成されている点、手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部及び窪み部となる部分にシール部８が形成されている点等の構成は実施形態１と共通する。
【００４９】
（実施形態３）
本実施形態においては、図１１に示すように、薬指の指挿入部５と小指の指挿入部６に形成された絞り部の数が実施形態２と相違している。すなわち、本実施形態では、親指、人指し指、中指の指挿入部２、３、４には実施形態１と同様に３個の絞り部２８ａ、２８ｂ、２８ｃが設けられているが、薬指の指挿入部５と小指の指挿入部６には２個の絞り部２８ａ、２８ｂのみが設けられており、この点で、すべての指の指挿入部に３個の２８ａ、２８ｂ、２８ｃが設けられていた上記実施形態２の場合と相違している。
【００５０】
薬指と小指の指挿入部５、６に形成された２個の絞り部２８ａ、２８ｂをそれぞれ構成する２個の窪み部９ｂ、９ｃのうち、一方の窪み部９ｂは図１１の正面視左側に形成され、他方の窪み部９ｃは図１１の正面視右側に形成されている。２個の絞り部２８ａ、２８ｂは、左右いずれか一方のみに窪み部９ｂ、９ｃをそれぞれ形成して構成された非対称な絞り部である。
【００５１】
そして、先端部側に近い一方の窪み部９ｂは、指挿入部内に指を挿入したときに、遠位指節間関節１２の下側に位置するように形成され、基端部側に近い他方の窪み部９ｃは近位指節間関節１３の上側に位置するように形成されている。
【００５２】
薬指と小指の指挿入部５、６に関しては、形成されている窪み部の個数が上記実施形態２よりも少ないので、指挿入部５、６内への薬指と小指の挿入を容易に行える反面、指挿入部５、６からの指の抜け出し防止効果は、薬指と小指の指挿入部５、６に３個の窪み部９ｂ、９ｃ、９ｄが形成されていた上記実施形態２に比べてやや劣ることとなる。薬指と小指の場合には、指の抜け出し防止効果が多少低減したとしても、手袋使用時の作業に主に使われる親指、人指し指、中指の指挿入部２、３、４に３個の窪み部９ｂ、９ｃ、９ｄが形成されていることで、手袋本体１の全体としては、指の抜け出し防止効果に支障を生じるようなこともないと考えられる。
【００５３】
他の親指、人指し指、中指の指挿入部２、３、４に形成された３個の窪み部９ｂ、９ｃ、９ｄの構成や作用は、上記実施形態２と共通するため、その説明は省略する。
【００５４】
手袋本体１が、親指、人指し指、中指、薬指、及び小指の５本の指挿入部２、３、４、５、６を具備して構成されている点、手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部及び窪み部となる部分にシール部８が形成されている点等の構成は実施形態１と共通する。
【００５５】
（実施形態４）
本実施形態においては、図１２に示すように、親指を挿入する指挿入部２、人指し指を挿入する指挿入部３、及び中指を挿入する指挿入部４の３本の指挿入部で手袋本体１が構成されており、この点で、５本の指挿入部で手袋本体１が構成されていた上記各実施形態と相違する。
【００５６】
本実施形態のように、手袋本体１が３本の指挿入部２、３、４を有して構成された手袋は、たとえば外食産業の店舗等においてフライドチキン、ドーナツ、フライドポテト等の油分を含む食材を、３本の指で摘んで食べる場合に、親指、人指し指、中指の３本の指を指挿入部２、３、４に挿入して使用されるものである。
【００５７】
このような用途においても、指挿入部の周縁部から内側に窪んだ窪み部が複数箇所に形成され、該窪み部によって指挿入部の内径が絞られた絞り部が、指挿入部の基端部側から先端部側にかけて複数箇所に設けされていることで、各指挿入部２、３、４からの指の不用意な抜け出しが防止されることとなる。
【００５８】
本実施形態においては、３個の窪み部９ｂ、９ｃ、９ｄがそれぞれ左右いずれかに形成された非対称な絞り部２８ａ、２８ｂ、２８ｃが、それぞれ３本の指挿入部２、３、４に３箇所ずつ形成されている。その３箇所の絞り部２８ａ、２８ｂ、２８ｃが形成されている位置は、上記実施形態２と同じである。従って、絞り部２８ａ、２８ｂ、２８ｃの構成に基づく指の挿入し易さの作用や、指挿入部２、３、４からの指の不用意な抜け出しを防止しうる作用も、上記実施形態２と共通するため、その説明は省略する。
【００５９】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部及び窪み部となる部分にシール部８が形成されている点等の構成は実施形態１と共通する。
【００６０】
（実施形態５）
本実施形態においては、図１３に示すように、親指を挿入する指挿入部２、人指し指を挿入する指挿入部３、及び中指を挿入する指挿入部４の３本の指挿入部で手袋本体１が構成されており、この点で、上記実施形態４と共通する。
【００６１】
本実施形態においては、指挿入部２、３、４にそれぞれ３本の指が挿入できるだけでなく、掌や手の甲の部分もある程度覆うことができるように手袋本体１が形成されている。そして、図１３に示すように手袋本体１の一側縁の斜縁部分２５にはシール部８が形成されておらず、薬指と小指を裸出させることができるような開口部２６が形成されている。
【００６２】
３個の絞り部２８ａ、２８ｂ、２８ｃが、それぞれ３本の指挿入部２、３、４に形成されている点は、上記実施形態４と同じであり、その３個の絞り部２８ａ、２８ｂ、２８ｃが、左右いずれか一方に窪み部９ｂ、９ｃ、９ｄを有して構成されている点は、上記実施形態２、４と同じであるので、絞り部２８ａ、２８ｂ、２８ｃの構成や作用の説明は省略する。
【００６３】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点等の構成は実施形態１と共通する。
【００６４】
（実施形態６）
本実施形態においては、図１４に示すように、親指を挿入する指挿入部２と、人指し指、中指、薬指、小指の４本の指を挿入する４本指挿入部２９とを具備して手袋本体１が構成され、全体がミトン形となるように手袋本体１が形成されている。
【００６５】
また、本実施形態においては、図１４に示すように、親指を挿入する指挿入部２においては、先端部側の左右１対の窪み部９ａ、９ｂによって、先端部側の絞り部２８ａが構成され、該窪み部９ａ、９ｂよりも基端部側に位置する窪み部９ｃによって中央の絞り部２８ｂが構成されている。すなわち、親指を挿入する指挿入部２においては、２箇所に絞り部２８ａ、２８ｂが形成されている。先端部側の絞り部２８ａは、縦方向軸中心部１０を中心として左右対称な位置に窪み部９ａ、９ｂが形成されて構成され、中央の絞り部２８ｂは、図１４の正面視左側に窪み部９ｃが形成されて構成された非対称なものである。
【００６６】
一方、４本指挿入部２９においては、先端部側の左右１対の窪み部９ａ、９ｂによって、先端部側の絞り部２８ａが構成され、該窪み部９ａ、９ｂよりも基端部側に位置する窪み部９ｃによって中央の絞り部２８ｂが構成され、さらに該窪み部９ｃよりも基端部側に位置する窪み部９ｄによって基端部側の絞り部２８ｃが構成されている。すなわち、４本指挿入部２９においては、３箇所に絞り部２８ａ、２８ｂ、２８ｃが形成されている。先端部側の絞り部２８ａは、縦方向軸中心部１０を中心として左右対称な位置に窪み部９ａ、９ｂが形成されて構成され、中央の絞り部２８ｂは、図１４の正面視左側に窪み部９ｃが形成されて構成された非対称なものであり、基端部側の窪み部９ｄは、図１４の正面視左側に窪み部９ｄが形成されて構成された非対称なものである。
【００６７】
本実施形態においては、親指を挿入する指挿入部２の開口部７ａと、４本指挿入部２９の開口部７ｂとは段差を有して構成されている。このように、それぞれの開口部７ａ、７ｂとが段差を有して構成されていることで、親指を指挿入部２に挿入する作業と、他の４本の指を４本指挿入部２９に挿入する作業とをそれぞれ別々に行うことができ、親指と４本の指とのそれぞれの指の挿入作業を容易に行うことができる。
【００６８】
各窪み部９ａ、９ｂ、９ｃ、９ｄの作用については上記実施形態１と共通するため、その説明は省略する。
【００６９】
手袋本体１の全体が合成樹脂製シートからなる点、手袋本体１が表裏両片１ａ、１ｂからなる点、各指挿入部の指先側とは反対側の手袋本体１の基端部側に開口部７ａ、７ｂが形成されている点、開口部７ａ、７ｂを除く手袋本体１の周縁部にシール部８が形成されている点等の構成は実施形態１と共通する。
【００７０】
（実施形態７）
本実施形態においては、図１５に示すように、手袋本体１の開口部の端縁が一直線状に形成されており、この点で、親指の指挿入部２の開口部７ａと、４本指挿入部２９の開口部７ｂとが段差を有して構成されていた実施形態６と相違する。開口部の端縁が一直線状に形成されていることで、上記実施形態６に比べて手袋の製造が容易となる利点を有するが、親指と４本の指とのそれぞれの指の挿入作業は、それぞれの指挿入部２、２９の開口部７ａ、７ｂが段差を有して構成されている実施形態６の方が容易に行うことができる。
【００７１】
絞り部２８ａ、２８ｂ、２８ｃや窪み部９ａ、９ｂ、９ｃの構成、作用にについては上記実施形態６と共通するため、その説明は省略する。
【００７２】
また、親指を挿入する指挿入部２と、人指し指、中指、薬指、小指の４本の指を挿入する４本指挿入部２９とを具備して手袋本体１が構成され、全体がミトン形となるように手袋本体１が形成されている点は実施形態６と共通する。
【００７３】
さらに、手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００７４】
（その他の実施形態）
尚、図１６に示すように、手袋本体１の内面側にいわゆるエンボス加工を行って多数の凹凸２７を形成することも可能である。この場合には、挿入された指の不用意な抜けが、より確実に防止されることとなる。
【００７５】
さらに、上記実施形態では、開口部７の部分を除いて、手袋本体１の輪郭となる部分にシール部８が形成され、該シール部８の部分に窪み部が含まれるように構成されていたが、このようなシール部８を手袋本体１の輪郭となる部分に沿って形成することは本発明に必須の条件ではない。たとえば指挿入部の周縁部の一部のみを点状にシールして、その点状にシールされた部分を窪み部として形成することも可能である。
【００７６】
さらに、手袋本体１の形状も、上記実施形態１乃至３のような５本指のもの、或いは実施形態４、５のような３本指のもの、実施形態６、７のような全体がミトン形のもの等、その形状は限定されるものではない。
【００７７】
さらに、上記実施形態では、チューブ状の合成樹脂製の長尺シートを用いて手袋を製造したが、これに限らず、たとえば２枚のシート状の長尺シートを用いて手袋を製造することも可能である。この場合には、チューブ状の長尺シートを用いる場合のように、側縁を切断する工程が不要となる。いずれにしても、手袋を製造する方法や、その製造方法に用いる材料の形態等も限定されるものではない。
【図１】
2013076195.tif 000003
【図２】
2013076195.tif 000004
【図３】
2013076195.tif 000005
【図４】
2013076195.tif 000006
【図５】
2013076195.tif 000007
【図６】
2013076195.tif 000008
【図７】
2013076195.tif 000009
【図８】
2013076195.tif 000010
【図９】
2013076195.tif 000011
【図１０】
2013076195.tif 000012
【図１１】
2013076195.tif 000013
【図１２】
2013076195.tif 000014
【図１３】
2013076195.tif 000015
【図１４】
2013076195.tif 000016
【図１５】
2013076195.tif 000017
【図１６】
2013076195.tif 000018